(57)【要約】  本発明は、ハウジング、プリンタモジュールおよび走査モジュールを有する多機能装置を提供する。ハウジングは、ハウジングの表面を共形するようにハウジング上で折り畳み可能な複数の回動可能パネルを有している。プリンタモジュールは、ハウジングの内部に配置されたプリンタヘッド組立体とマルチ・シートフィーダとを有し、マルチ・シートフィーダは、印刷パスを形成する第１の用紙ガイド、フィーダ組立体および第２の用紙ガイドとを有し、プリンタヘッド組立体は、第１の用紙ガイドと第２の用紙ガイドとの間で印刷パスに沿って搭載され、プリンタモジュールまでの隙間は、プリンタヘッド組立体と第１の用紙ガイドとの間でハウジングの内部に画定される。マルチ原稿フィーダと連結している走査バーを有する走査モジュールは、ハウジング上で折り畳み可能に搭載され、走査モジュールは、折り畳み構成にあるときに隙間の内部に埋まり、起立構成にあるときに走査モジュールが走査パスを形成する。印刷パスは、走査パスから分離される。本明細書においてローラ組立体がさらに提供される。
2013535156.tif 000002
【特許請求の範囲】
【請求項１】
複数の回動可能パネルを有するハウジングであって、前記回動可能パネルが前記ハウジングの表面を共形するように前記ハウジング上で折り畳み可能である、ハウジングと、
前記ハウジングの内部に配置されるプリンタヘッド組立体およびマルチ・シートフィーダを有するプリンタモジュールであって、前記マルチ・シートフィーダは、印刷パスを形成する第１の用紙ガイド、フィーダ組立体および第２の用紙ガイドを有し、前記プリンタヘッド組立体は、前記第１の用紙ガイドと前記第２の用紙ガイドとの間で前記印刷パスに沿って搭載され、前記プリンタモジュールまでの隙間が前記プリンタヘッド組立体と前記第１の用紙ガイドとの間で前記ハウジングの内部に画定される、プリンタモジュールと、
前記ハウジング上で折り畳み可能に搭載される走査モジュールであって、マルチ原稿フィーダと連結する走査バーを有し、折り畳み構成にあるときに前記隙間の内部に埋まり、起立構成にあるときに走査パスを形成する、走査モジュールと、
を備え、
前記印刷パスは、前記走査パスから分離されている、
多機能装置。
【請求項２】
前記印刷パスと前記走査パスとは、反対向きである、請求項１に記載の装置。
【請求項３】
前記回動可能パネルは、前記第１の用紙ガイドおよび前記第２の用紙ガイドとして使用される、請求項１に記載の装置。
【請求項４】
前記走査モジュールは、走査対象である原稿を装填する原稿ガイドをさらに備える、請求項１に記載の装置。
【請求項５】
前記マルチ原稿フィーダは、ピックローラおよび駆動ローラを備え、前記ピックローラは、動作中に原稿を取り上げ前記駆動ローラへ送り、前記駆動ローラは、走査のため前記走査バー上に原稿を引き出す、請求項１に記載の装置。
【請求項６】
前記駆動ローラは、前記ピックローラより高速に回転する、請求項５に記載の装置。
【請求項７】
前記ピックローラは、オーバードライブ・クラッチを備える、請求項５に記載の装置。
【請求項８】
原稿を走査する走査バーを有する、走査モジュールのためのローラ組立体であって、
前記原稿を取り上げる第１のローラであって、前記第１のローラを回転させる被動力を動作中に受ける被動歯車と連結される、第１のローラと、
密に近接して前記第１のローラと平行に配置される第２のローラであって、前記第１のローラから前記原稿を受け取り、動作中に走査を実行する前記走査バー上に前記原稿を引き出し、前記第１のローラより高速に回転する、第２のローラと、
前記第１のローラと前記被動歯車との間に配置されるオーバードライブ・クラッチであって、前記オーバードライブ・クラッチが係合するときに前記第１のローラが前記被動歯車によって駆動され、前記第１のローラが前記被動歯車より高速に回転するときに前記被動歯車から前記第１のローラを係合解除する、オーバードライブ・クラッチと、
を備えるローラ組立体。
【請求項９】
前記オーバードライブ・クラッチは、前記第１のローラおよび前記被動歯車にそれぞれ取り付けられる２つの回転可能部品を備え、各回転可能部品は、突起部を有し、前記オーバードライブ・クラッチは、前記突起部が互いに接触するときに係合され、前記突起部が互いに遠ざかるときに係合解除される、請求項８に記載のローラ組立体。
【請求項１０】
前記走査モジュールは、請求項８または９のいずれか一項に記載のローラ組立体を備える、請求項１に記載の多機能装置。
【発明の詳細な説明】
【技術分野】
【０００１】
本発明は、概して多機能装置に関し、詳しくは、小型モバイル一体型プリンタ・スキャナ装置に関する。
【背景技術】
【０００２】
多機能プリンタ（ＭＦＰ）と呼ばれることもある多機能装置（ＭＦＤ）は、複数の装置の機能を１つの物理ユニットに組み込む事務機器として定義することができる。この装置は、１つ１つの異なる機能のための専用ユニットを有する装置より必要とする設置面積が小さく、同時に、万能性と値頃感も提供する。
【０００３】
Ｈｅｗｌｅｔｔ−Ｐａｃｋａｒｄ  Ｄｅｖｅｌｏｐｍｅｎｔ  Ｃｏｍｐａｎｙ，Ｌ．Ｐ．に譲渡された米国特許第６８９８３９５号明細書は、プリンタ・メディア・パスを有するプリンタと、プリンタに着脱式に固定されたスキャナ／ステープラ組立体とを含む多機能プリンタ装置を開示する。インターロック機構部がスキャナ／ステープラ組立体をプリンタと係合／係合解除するために使用される。
【０００４】
この一体型装置は、嵩高であり、かつ、移動性が制限されている。プリンタの上に搭載されたスキャナ／ステープラ組立体は、嵩高な構造を維持するために強力な支持構造体を必要とする。この構成は、さらに、装置の全体的な高さを著しく増大させ、美的に統合された外見を生み出さない。
【０００５】
Ｈｅｗｌｅｔｔ−Ｐａｃｋａｒｄ  Ｃｏｍｐａｎｙに譲渡された米国特許第５８９６２０６号明細書は、フレームと、フレームの中に搭載され、フレームの中を通る単一の用紙パスを画定する複数のローラとを備えるプリンタ・スキャナ結合装置を開示する。この装置は、自動シートフィーダと、自動ドキュメントフィーダと、スキャナステーションと、プリンタステーションと、スキャナウィンドウの清掃を可能にするためにスキャナステーションへのアクセスを許すペンドアと、紙詰まりした印刷シートまたはドキュメントを取り除くクランプ機構部とをさらに備える。
【０００６】
２つの分離した用紙パスは、紙詰まりの取り除き、スキャナウィンドウの清掃を扱いにくくする複雑な機構部を有するという欠点があることが認められるので、この装置は、単一用紙パス構成を利用する。
【０００７】
しかし、走査機能および印刷機能の共用用紙パスは、走査対象である原稿ドキュメントが単一共用用紙パスに沿って印刷ステーションを通り抜ける必要があるので、走査対象である原稿ドキュメントを汚す危険性に装置を晒す欠点も同様に有することに注意する必要がある。
【０００８】
Ｈｅｗｌｅｔｔ−Ｐａｃｋａｒｄ  Ｃｏｍｐａｎｙに譲渡された米国特許第５７９０２７９号明細書は、同じ用紙フィード機構部を共用する別のスキャナ・プリンタ結合装置を開示する。用紙シートは、最初にスキャナを次にプリンタを通過させられるか、または、用紙フィード機構部内の用紙が走査されるか若しくは印刷されるかを選択するための用紙選択スイッチが設けられる。
【０００９】
走査および印刷のための部分共用用紙パスの使用は、走査対象である原稿ドキュメントが印刷ゾーンを通り抜けないので、汚す危険性を下げる。しかし、紙詰まりの場合には、依然として、走査対象である原稿ドキュメントを損傷する危険性がある。
【発明の概要】
【発明が解決しようとする課題】
【００１０】
以下は、本発明の基本的な理解を与えるために簡略化された要約を提示する。この要約は、本発明の広範囲に亘る概要ではなく、本発明の重要な特色を特定することを意図していない。そうではなく、この要約は、以下に続く詳細な説明の前置きとして本発明の発明概念の一部を一般化された形式で提示する。
【課題を解決するための手段】
【００１１】
本発明の一態様では、複数の回動可能パネルを有するハウジングであって、回動可能パネルがハウジングの表面を共形するようにハウジング上で折り畳み可能である、ハウジングと；ハウジングの内部に配置されるプリンタヘッド組立体およびマルチ・シートフィーダを有するプリンタモジュールであって、マルチ・シートフィーダは、印刷パスを形成する第１の用紙ガイド、フィーダ組立体および第２の用紙ガイドを有し、プリンタヘッド組立体は、第１の用紙ガイドと第２の用紙ガイドとの間で印刷パスに沿って搭載され、プリンタモジュールまでの隙間がプリンタヘッド組立体と第１の用紙ガイドとの間でハウジングの内部に画定される、プリンタモジュールと；ハウジング上で折り畳み可能に搭載される走査モジュールであって、マルチ原稿フィーダと連結する走査バーを有し、折り畳み構成にあるときに隙間の内部に埋まり、起立構成にあるときに走査パスを形成する、走査モジュールと、を備える多機能装置が提供される。印刷パスは、走査パスから分離されている。
【００１２】
一実施形態では、印刷パスと走査パスとは、反対向きである。
【００１３】
別の実施形態では、回動可能パネルは、第１の用紙ガイドおよび第２の用紙ガイドとして使用される。
【００１４】
さらなる実施形態では、走査モジュールは、走査対象である原稿を装填する原稿ガイドをさらに備えてもよい。マルチ原稿フィーダは、ピックローラおよび駆動ローラをさらに備えてもよい。ピックローラは、動作中に原稿を取り上げ駆動ローラへ送り、そして、駆動ローラは、走査のため走査バー上に原稿を引き出す。駆動ローラは、ピックローラより高速に回転してもよい。さらに、ピックローラは、オーバードライブ・クラッチを備えてもよい。
【００１５】
本発明の別の態様では、原稿を走査する走査バーを有する、走査モジュールのためのローラ組立体が設けられる。ローラ組立体は、原稿を取り上げる第１のローラであって、第１のローラを回転させる被動力を動作中に受ける被動歯車と連結される、第１のローラと；密に近接して第１のローラと平行に配置される第２のローラであって、第１のローラから原稿を受け取り、動作中に走査を実行する走査バー上に原稿を引き出し、第１のローラより高速に回転する、第２のローラと；第１のローラと被動歯車との間に配置されるオーバードライブ・クラッチであって、オーバードライブ・クラッチが係合されるときに第１のローラが被動歯車によって駆動され、第１のローラが被動歯車より高速に回転するときに被動歯車から第１のローラを係合解除する、オーバードライブ・クラッチと、を備える。
【００１６】
一実施形態では、オーバードライブ・クラッチは、第１のローラおよび被動歯車にそれぞれ取り付けられる２つの回転可能部品を備えてもよく、各回転可能部品は、突起部を有する。オーバードライブ・クラッチは、突起部が互いに接触するときに係合され、突起部が互いに遠ざかるときに係合解除される。
【００１７】
上記ローラ組立体は、本発明の上記多機能装置に適合させられてもよい。
【００１８】
本発明の目的および利点は、添付図面と共に本発明の実施形態の以下の詳細な説明から明らかになるであろう。
【図面の簡単な説明】
【００１９】
本発明による好ましい実施形態は、同じ符号が同じ要素を表す本書に添付された図面を参照して次に説明される。
【００２０】
【図１】本発明の一実施形態における、一体型プリンタ・スキャナ装置の斜視図である。
【００２１】
【図２】本発明の一実施形態における、図１に示された装置の側断面図である。
【００２２】
【図３】本発明の一実施形態において折り畳み構成にある、図１に示された装置の斜視図である。
【００２３】
【図４】本発明の一実施形態における、図１に示された装置の走査モジュールの前方斜視図である。
【００２４】
【図５】本発明の一実施形態における、図４に示された走査モジュールの後方斜視図である。
【００２５】
【図６】本発明の一実施形態において走査対象である原稿がピックローラによって押し進められたときの、図４に示された走査モジュールのオーバードライブ・クラッチ機構部を示した図である。
【００２６】
【図７】本発明の一実施形態において走査対象である原稿が駆動ローラに達したときの、図４に示された走査モジュールのオーバードライブ・クラッチ機構部を示した図である。
【００２７】
【図８】本発明の一実施形態において走査対象である原稿が駆動ローラによって引っ張られたときの、図４に示された走査モジュールのオーバードライブ・クラッチ機構部を示した図である。
【００２８】
【図９】本発明の一実施形態において走査対象である原稿がもはやピックアップローラと接触していないときの、図４に示された走査モジュールのオーバードライブ・クラッチ機構部を示した図である。
【００２９】
【図１０】本発明の一実施形態における、図１に示された装置の走査モジュール構成を示した図である。
【発明を実施するための形態】
【００３０】
本発明の実施形態は、添付図面を参照して、次に詳細に説明される。本説明によっては、本発明の範囲の制限を意図しないことが理解されるべきであり、例示された装置における変更およびさらなる改良と、そこに例示されているような本発明の原理へのさらなる適用とは、本発明が関連する技術分野における当業者に容易に想到されるものと考えられる。
【００３１】
図１は、本発明の一実施形態による一体型プリンタ・スキャナ装置１の斜視図を示す。一体型プリンタ・スキャナ装置１は、１台の小型装置の内部で印刷機能および走査機能を概ね行う。装置１は、ハウジング１１と、用紙入力ガイド１５および用紙出力ガイド２５と、原稿入力ガイド２０および原稿出力ガイド３０と、表示パネル１２とを備える。入力／出力セクタ（プリンタおよび原稿）は、用紙を供給しガイドするため設けられている。一般に、用紙トレイまたはサポートが用紙を支持しガイドするため設けられてもよい。
【００３２】
用紙入力ガイド１５は、ハウジング１１の上縁部に沿って折り畳み可能に回動させられ、同時に、ハウジング１１の上面への蓋を形成する。表示パネル１２は、用紙入力ガイド１５から上面のおよそ４分の１の長さでハウジング１１の上端に回動可能に搭載されている。表示パネル１２は、ハウジング１１上で用紙入力ガイド１５と反対向きに回動式に折り畳み可能である。
【００３３】
表示パネル１２は、動作中に有用な情報を表示するため設けられている。表示パネル１２は、走査モードと印刷モードの両方で動作しているときに視覚的な快適さのため上方に傾けられる。表示パネル１２が折り畳まれているとき、表示パネルは、装置１の内部に埋め込まれている。表示パネル１２は、より多くのコントロールボタンを装置１に設けるためにタッチ・スクリーン・パネルとすることができる。
【００３４】
表示パネル１２がハウジング１１に向かって折り畳まれるとき、用紙入力ガイド１５は、コンポーネントを下に覆うために閉じることも可能である。表示パネル１２は、走査対象である原稿を取り扱うためこの表示パネルの下に走査モジュール（図１に図示せず）を備え、この走査モジュールは、表示パネル１２の中央下端で回動させられる原稿出力ガイド３０を含む。原稿出力ガイド３０は、表示パネル１２に向かって折り畳み可能である。一般に、表示パネル１２がハウジング１１の中へ折り畳まれるとき、原稿出力ガイド３０は、表示パネル１２の背面に接触した状態に保たれる。これに対して、表示パネル１２が使用のため持ち上げられたとき、原稿出力ガイド３０は、原稿用の支持および案内トレイとして表示パネル１２から離れて落下する。原稿出力ガイド３０は、走査モジュール１０から出力された原稿と、印刷対象である用紙またはプリンタモジュール５への入力対象である用紙との間の分離板としての役割も果たす。
【００３５】
原稿入力ガイド２０は、ハウジング１１の反対側の上縁部で折り畳み可能に回動させられる。原稿入力ガイド２０は、一般に上面のおよそ半分の長さである。原稿入力ガイド２０は、ハウジング１１の上面に向かって折り畳み可能である。これに対して、用紙出力ガイド２５は、原稿入力ガイド２５の下でハウジング１１の下縁部に沿って回動可能に搭載されている。用紙出力ガイド２５は、ハウジング１１の側面を共形するように折り畳み可能である。ラッチ部が用紙出力ガイドをハウジング１１に接触した状態に保つために用紙出力ガイド２５に設けられてもよい。
【００３６】
図２は、本発明の一実施形態による一体型プリンタ・スキャナ装置１の側断面図である。表示パネル１２は、表示パネルの下に搭載された走査モジュール１０と一緒に持ち上げられる。走査パスＳは、走査モジュール１０が持ち上げられたときに形成される。走査モジュール１０は、マルチ・シート供給スキャナである。スリット４が用紙シートを受け入れるため表示パネル１２の下端に画定される。前述の通り、原稿出力ガイド２０は、原稿へのガイドおよびサポートとしてフリップ式に開く。走査パスＳは、原稿入力ガイド２０で始まり、走査モジュール１０を経由し、原稿出力ガイド３０で終わる。走査モジュール１０は、小型で利用可能な空間２またはハウジング１１内の隙間の内部にうまく収まる走査ヘッド１３およびフィーダ組立体１４を備える。
【００３７】
典型的に、空間２または隙間は、プリンタモジュール５の中の印刷ヘッドを駆動する機構部と用紙ピック機構部とに起因してハウジングの内部で利用できる。その結果、走査モジュール１０を利用可能な空間２に統合することは、空間使用率を最適化する。空間２は、走査モジュール１０が表示パネル１２と一緒にハウジング１１上に折り畳まれるときに使用され、スキャナ１０が折り畳み構成にあるとき、走査パスＳは、中断させられる。使用されているとき、表示パネル１２は、走査モジュール１０と一緒に持ち上げられ、走査パスＳを形成する。走査パスＳは、印刷パスＰから完全に分離されているので、印刷および走査は、同時にかつ独立に行うことができる。折り畳み可能な走査モジュール１０は、装置１が印刷機能と走査機能の両方を組み込むことを可能にするが、装置１の小型かつ一体型形式を維持する。
【００３８】
装置１が走査のため使用されるとき、原稿３は、表示パネル１２が持ち上げられた状態で原稿入力ガイド２０に装填される。走査中に、ローラ組立体１４は、走査を実行するために、スリット４を通して１枚１枚の原稿シート３を引き出し、走査ヘッド１３を通して送る。１枚１枚の走査済み原稿は、走査モジュール１０のもう一方側、すなわち、原稿出力ガイド３０に排出される。
【００３９】
装置１が印刷のため使用されるとき、用紙入力ガイド１５は、印刷対象である用紙を装填するための装填トレイとしての役割を果たす。使用中に、用紙は、ハウジング１１の内部に搭載されたプリンタモジュール５の中を通して送るための用紙入力ガイド１５に装填される。用紙入力ガイド１５から、用紙は、印刷パスＰによってプリンタモジュール５の中を通って送られ、その後、原稿入力ガイド２０の下に位置している用紙出力ガイド２５に排出される。
【００４０】
給紙機構部および印刷機構部は、技術的に広く知られている。給紙および排出工程は、ハウジング１１の内部に搭載されたシートフィーダによって実行される。シートフィーダは、走査パスＳおよび印刷パスＰに沿って用紙を取り扱う。本実施形態では、走査パスＳおよび印刷パスＰは、２つの別個かつ独立の反対向きパスである。さらに、好ましくは、原稿出力ガイド３０は、原稿３が走査された後に用紙入力ガイド１５の中へ落下することを防止するフラップを備える。
【００４１】
図３は、折り畳み構成にある装置１を例示する。折り畳み構成では、表示パネル１２は、走査モジュール１０と一緒に、ハウジング１１の内部にきちんと収容されている。給紙を特色とする小型一体型プリンタ・スキャナを実現することが可能である。
【００４２】
図４および図５は、本発明の一実施形態による走査モジュール１０の前方斜視図および後方斜視図を示す。前述の通り、走査モジュール１０は、フィーダ組立体１４と走査ヘッド（図示せず）とを備える。フィーダ組立体１４は、ピックローラ３７と、装填センサ（図示せず）と、トップ・オブ・フォーム・センサ（図示せず）と、分離板組立体４０と、駆動ローラ４６とを備える。
【００４３】
装填センサは、用紙シートの有無を検出するために、ローラ組立体１４の最前線で、中心に、位置決めされている。ピックローラ３７は、原稿入力ガイド２０に装填された原稿を取り上げるために装填センサの次に位置決めされている。ピックローラ３７によって取り上げられた原稿は、原稿が１枚ずつ送られるように、分離板組立体４０によって実行される分離の対象になる。一旦分離されると、原稿は、駆動ローラ４６に運ばれる。
【００４４】
トップ・オブ・フォーム・センサは、走査ヘッド１３の中を通る走査を開始するために原稿の前縁部を検出すると共に、走査動作を終了させるために原稿の後縁部を検出する。走査ヘッド１３は、原稿ができる限り走査ヘッド１３と接触していることを確実にするために、かつ、原稿の滑らかな運搬を行うためにバネ式にされてもよい。
【００４５】
理想的には、本実施形態では、駆動ローラ４６およびピックローラ３７は、同じ速度で回転することになる。しかし、このような同一速度は、一般に実現しがたいことが理解される。ローラ間の僅かな速度の変動（高速化または低速化）でも、走査動作、および、それによる走査済み画像の質および精度に影響を与えることになる。したがって、本発明の一実施形態では、ローラ組立体１４は、速度変動を補償するオーバードライブ・クラッチ機構部をさらに備える。オーバードライブ・クラッチ機構部４５は、ローラ間、特に、ピックローラ３７と駆動ローラ４６との間の速度不一致に対処するために設けられている。オーバードライブ・クラッチ機構部４５は、接続歯車４７と、駆動ローラ歯車４８と、ピックローラ歯車４９とを備える。駆動ローラ歯車４８およびピックローラ歯車４９は、対応する駆動ローラ４６およびピックローラ３７にそれぞれ連結されている。駆動ローラ歯車４８は、接続歯車４７と直接的に連結され、この接続歯車は、回転を伝達するためにピックローラ歯車４９と同時に係合されている。
【００４６】
オーバードライブ・クラッチ機構部４５は、ピックローラ３７に適合されている。オーバードライブ・クラッチ機構部は、２つの回転部品５１および５２を有しているクラッチを備え、一方の部品５１がピックローラ歯車４９によって駆動され、もう一方の部品５２がピックローラ３７を駆動するために設けられている。各回転部品は、もう一方と連結するための連結係合部材を有している。連結係合部材は、本発明の一実施形態では、簡単に、部品５１および５２に画定された２つの対向する突起部とすることが可能である。２つの部品５１、５２は、突起部が互いから離れる／遠ざかるときに係合解除され、突起部が接触しているときに係合される。２つの突起部が係合解除されるとき、ピックローラ３７は、回転自在であり、ピックローラ歯車３９によって駆動されない。２つの突起部が係合したとき、ピックローラ３７は、ピックローラ歯車４９によって駆動される。
【００４７】
図６から図９は、図５のオーバードライブ・クラッチ機構部４５の動作を概略的に示す。図６は、原稿が走査モジュール１０の中へ送られ、ピックローラ３７によって押し進められたときを示し、図７は、原稿が駆動ローラ４６に達したときを示し、図８は、原稿が駆動ローラ４６によって引き出されたときを示し、図９は、原稿がもはやピックローラ３７と接触していないときを示す。
【００４８】
具体的には、オーバードライブ・クラッチ機構部４５は、駆動ローラ４６がピックローラ３７、すなわち、オーバードライブより高速に回転するように設計される。ピックローラ３７が独立に回転させられるとき、２つの部品５１、５２は、互いに係合し、部品５１の回転は、部品５２を回転させる（図６を参照）。ピックローラ上に送られた原稿は、ピックローラ歯車４９によって駆動されるピックローラ３７と同じ速度で移動している。原稿が駆動ローラ４６に達したとき（図７を参照）、ピックローラ３７は駆動ローラ４６より低速であるため、原稿は、原稿の中を通る駆動ローラ４６と同じ速度で回転するまでピックローラ３７を引っ張る。ピックローラ３７が前の回転より高速に回転するので、部品５２は、同様に部品５１より高速に回転し、結果として、部品５１と５２との間に係合解除を生じる（図８を参照）。
【００４９】
原稿の後縁部がピックローラ３７を離れるとき（図９を参照）、引っ張り効果は、もはや存在しなくなり、ピックローラ３７は、減速するか、または、回転を停止し、このことは、部品５１が遅れを取り戻すことを可能にする。部品５１が遅れを取り戻し、部品５２と再び係合すると、ピックローラ３７は、再び同じ速度で部品５１によって駆動され、次の原稿が送り込まれるのを待つ。オーバードライブ・クラッチ機構部４５は、ピックローラ２７と駆動ローラ４６との間の給紙が滑らかになることを確実にするピックローラ３７と駆動ローラ４６との間の回転速度の補償を行い、それによって、ギザギザの画像のような望ましくない走査を防止する。
【００５０】
図１０は、走査パスＳの中を通して走査機構部を供給する走査モジュール１０の構成を示す。最初に、走査対象である原稿３は、原稿入力ガイド２０の中に装填される。次に、走査対象である原稿は、フィーダ組立体１４を用いて走査ゾーン６０に移され、走査ヘッド１３を通過する。本発明の一実施形態では、走査バーは、ライン走査のため使用される。フィーダ組立体１４は、ピックローラ３７で始まる。駆動ローラ４６がその後に続けられる。駆動ローラ４６は、駆動ローラ上の原稿を走査するスキャナヘッド１３に押し付けられる。走査工程が完了すると、走査済み原稿３は、その後に、出力ローラ６４の協働を通して原稿出力ガイド３０に排出される。出力ローラ６４は、表面接触を用いて接続ローラ６３によって駆動される。走査ヘッド１３は、原稿３が走査工程の全体に亘って滑らかに運ばれ得るように、バネ６１をさらに備えてもよい。トップ・オブ・フォーム・センサ３９がさらに設けられてもよい。
【００５１】
具体的な実施形態が説明され、例示されているが、多くの変更、改良、変形、および、これらの組み合わせが本発明の範囲を逸脱することなく本発明になされ得ることが分かる。
【図１】
2013535156.tif 000003
【図２】
2013535156.tif 000004
【図３】
2013535156.tif 000005
【図４】
2013535156.tif 000006
【図５】
2013535156.tif 000007
【図６】
2013535156.tif 000008
【図７】
2013535156.tif 000009
【図８】
2013535156.tif 000010
【図９】
2013535156.tif 000011
【図１０】
2013535156.tif 000012
【国際調査報告】
2013535156.tif 000013
2013535156.tif 000014
2013535156.tif 000015
2013535156.tif 000016